【手続補正書】
【提出日】平成16年6月7日(2004.6.7)
【手続補正１】
【補正対象書類名】明細書
【補正対象項目名】特許請求の範囲
【補正方法】変更
【補正の内容】
【特許請求の範囲】
【請求項１】
電子写真感光体と、前記電子写真感光体に作用するプロセス手段と、カートリッジ電気接点を有するメモリ手段と、を有するプロセスカートリッジを着脱可能とし、記録媒体に画像を形成する電子写真画像形成装置において、
前記プロセスカートリッジを着脱するための開口と、
前記開口を開放する開放位置と、前記開口を閉じる閉塞位置との間を移動することができる開閉カバーと、
前記プロセスカートリッジを前記電子写真画像形成装置の本体に対して位置決めする本体位置決め部と、
前記カートリッジ電気接点部と電気的に接続する本体電気接点部と、
前記開閉カバーの開閉動作に連動して移動する移動部材であって、前記開閉カバーが前記開放位置から前記閉塞位置に移動する際に、前記本体電気接点とカートリッジ電気接点とが電気的に接続させる方向に前記本体電気接点を移動させる、そして前記本体電気接点とカートリッジ電気接点と電気的に接続した後に、前記プロセスカートリッジを前記本体位置決め部に位置決めする方向に移動させる移動部材と、
を有すことを特徴とする電子写真画像形成装置。
【請求項２】
更に、前記電子写真画像形成装置は、
前記移動部材と連動する可動コネクタ機構であって、前記開閉カバーが前記開放位置にあるときは、前記本体電気接点部をカートリッジ電気接点部と離間する位置に保持し、前記開閉カバーが前記開放位置から前記閉塞位置に移動する際に、前記本体電気接点部とカートリッジ電気接点部とが電気的に接続する方向に移動させる可動コネクタ機構を有することを特徴とする請求項１に記載の電子写真画像形成装置。
【請求項３】
前記可動コネクタ機構は、前記電子写真画像形成装置本体に固定されたハウジングと、前記ハウジングに回転支持されて前記本体電気接点部を保持するコネクタホルダと、前記コネクタホルダと前記移動部材を連結するリンクと、を有することを特徴とする請求項２に記載の電子写真画像形成装置。
【請求項４】
更に、前記可動コネクタ機構は、
前記ハウジングと前記コネクタホルダとの間に設けられた弾性部材であって、前記カートリッジ電気接点部を前記本体電気接点部の方向へ押圧する弾性部材と、
前記リンクに設けられた、前記コネクタホルダと係合する軸であって、前記開閉カバーが前記開放位置から前記閉塞位置に移動する際に、前記本体電気接点部を前記カートリッジ電気接点部の方向に前記コネクタホルダを移動させる軸と、
を有することを特徴とする請求項３に記載の電子写真画像形成装置。
【請求項５】
更に、前記可動コネクタ機構は、
前記リンクに設けられた、前記コネクタホルダと係合する軸であって、前記開閉カバーが前記開放位置から前記閉塞位置に移動する際に、前記本体電気接点部を前記カートリッジ電気接点部の方向に前記コネクタホルダを移動させる軸と、
前記コネクタホルダに設けられた、前記軸と係合する長穴と、
前記軸と前記長穴との間に設けられた弾性部材であって、前記カートリッジ電気接点部を前記本体電気接点部の方向へ押圧する弾性部材と、
を有することを特徴とする請求項３に記載の電子写真画像形成装置。
【請求項６】
更に、前記電子写真画像形成装置は
前記プロセスカートリッジを前記開口部から前記本体位置決め部へ搬送するための移動ガイドと、
前記画像形成装置本体に回転可能に設けられた、前記開閉部材の開閉動作に連動して回転する第二移動部材であって、前記開閉部材が前記開放位置から前記閉塞位置に移動する際に、前記プロセスカートリッジを前記本体位置決め部の方向へ搬送するために前記移動ガイドを移動させる第一カム部と、前記移動ガイドを移動させた後に、前記本体電気接点部とカートリッジ電気接点部とを電気的に接続させるために前記移動部材を移動させる、そしてその後に、前記移動部材を前記プロセスカートリッジに設けられた被付勢部に当接させて、前記プロセスカートリッジを前記本体位置決め部に位置決めする方向に移動させる第二カム部と、を有する第二移動部材と、
を有することを特徴とする請求項１乃至請求項５に記載のいずれかの電子写真画像形成装置。
【請求項７】
前記移動部材は、前記被付勢部と当接する付勢部を有することを特徴とする請求項６に記載のいずれかの電子写真画像形成装置。
【請求項８】
電子写真感光体と、前記電子写真感光体に作用するプロセス手段と、カートリッジ電気接点を有するメモリ手段と、を有するプロセスカートリッジを着脱可能とし、記録媒体に画像を形成する電子写真画像形成装置において、
前記プロセスカートリッジを着脱するための開口と、
前記開口を開放する開放位置と、前記開口を閉じる閉塞位置との間を移動することができる開閉カバーと、
前記開閉カバーが前記閉塞位置にあるときに、前記電子写真画像形成装置の本体へ電力を供給するためのＯＮ状態と、前記開閉カバーが前記閉塞位置以外の位置にあるときには、前記画像形成装置本体へ電力を供給を中止するためのＯＦＦ状態とをとり得るスイッチ部材と、
前記カートリッジ電気接点部と電気的に接続する本体電気接点部と、
前記本体電気接点とカートリッジ電気接点とが電気的に接続する方向、及び、離間する方向に前記本体電気接点を移動させる第一の移動部材と、
前記開閉カバーの開閉動作に連動して移動する第二の移動部材であって、前記開閉カバーが前記閉塞位置から前記閉塞位置以外の位置に移動する際に、前記スイッチ部材をＯＮ状態からＯＦＦ状態にして、その後に、前記本体電気接点部とカートリッジ電気接点部とが電気的に離間する方向に前記第一の移動部材を移動させる第二の移動部材と、
を有することを特徴とする電子写真画像形成装置。
【請求項９】
更に、前記電子写真画像形成装置は、
前記第一の移動部材と連動する可動コネクタ機構であって、前記開閉カバーが前記開放位置にあるときは、前記本体電気接点部をカートリッジ電気接点部と離間する位置に保持し、前記開閉カバーが前記開放位置から前記閉塞位置に移動する際に、前記本体電気接点部とカートリッジ電気接点部とが電気的に接続する方向に移動させる可動コネクタ機構を有することを特徴とする請求項８に記載の電子写真画像形成装置。
【請求項１０】
前記可動コネクタ機構は、前記電子写真画像形成装置本体に固定されたハウジングと、前記ハウジングに回転支持されて前記本体電気接点部を保持するコネクタホルダと、前記コネクタホルダと前記移動部材を連結するリンクと、を有することを特徴とする請求項９に記載の電子写真画像形成装置。
【請求項１１】
更に、前記電子写真画像形成装置は、
前記画像形成装置本体に移動可能に設けられた、前記スイッチ部材を動作させるスイッチレバーと、
を有し、
前記第二の移動部材は、前記画像形成装置本体に回転可能に設けられたており、前記本体電気接点部とカートリッジ電気接点部とを電気的に接続、又は、離間させるために前記第一の移動部材を移動させる第一カム部と、前記スイッチレバーと当接して前記スイッチレバーを移動させ、前記スイッチ部材をＯＦＦ状態からＯＮ状態、又は、ＯＮ状態からＯＦＦ状態にする第二カム部と、を有することを特徴とする請求項９または請求項１０に記載の電子写真画像形成装置。
【請求項１２】
電子写真感光体と、前記電子写真感光体に作用するプロセス手段と、カートリッジ電気接点を有するメモリ手段と、を有するプロセスカートリッジを着脱可能とし、記録媒体に画像を形成する電子写真画像形成装置において、
前記プロセスカートリッジを着脱するための開口と、
前記開口を開放する開放位置と、前記開口を閉じる閉塞位置との間を移動することができる開閉カバーと、
前記プロセスカートリッジを前記電子写真画像形成装置の本体に対して位置決めする本体位置決め部と、
前記カートリッジ電気接点部と電気的に接続する本体電気接点部と、
前記開閉カバーが前記開放位置から前記閉塞位置に移動する動作に応じて、前記本体電気接点とカートリッジ電気接点とを電気的に接続させる、そしてその後に、前記プロセスカートリッジを前記本体位置決め部に位置決めする手段と、
を有することを特徴とする電子写真画像形成装置。
【請求項１３】
電子写真感光体と、前記電子写真感光体に作用するプロセス手段と、カートリッジ電気接点を有するメモリ手段と、を有するプロセスカートリッジを着脱可能とし、記録媒体に画像を形成する電子写真画像形成装置において、
前記プロセスカートリッジを着脱するための開口と、
前記開口を開放する開放位置と、前記開口を閉じる閉塞位置との間を移動することができる開閉カバーと、
前記開閉カバーが前記閉塞位置にあるときに、前記電子写真画像形成装置の本体へ電力を供給するためのＯＮ状態と、前記開閉カバーが前記閉塞位置以外の位置にあるときには、前記画像形成装置本体へ電力を供給を中止するためのＯＦＦ状態とをとり得るスイッチ部材と、
前記カートリッジ電気接点部と電気的に接続する本体電気接点部と、
前記開閉カバーが前記閉塞位置から前記閉塞位置以外の位置に移動する動作に応じて、前記スイッチ部材をＯＮ状態からＯＦＦ状態にする、そしてその後に、前記本体電気接点部とカートリッジ電気接点部とを電気的に離間する手段と、
を有することを特徴とする電子写真画像形成装置。
【手続補正２】
【補正対象書類名】明細書
【補正対象項目名】００１６
【補正方法】変更
【補正の内容】
【００１６】
【課題を解決するための手段】
本願発明に係る代表的な構成は、電子写真感光体と、前記電子写真感光体に作用するプロセス手段と、カートリッジ電気接点を有するメモリ手段と、を有するプロセスカートリッジを着脱可能とし、記録媒体に画像を形成する電子写真画像形成装置において、前記プロセスカートリッジを着脱するための開口と、前記開口を開放する開放位置と、前記開口を閉じる閉塞位置との間を移動することができる開閉カバーと、前記プロセスカートリッジを前記電子写真画像形成装置の本体に対して位置決めする本体位置決め部と、前記カートリッジ電気接点部と電気的に接続する本体電気接点部と、前記開閉カバーの開閉動作に連動して移動する移動部材であって、前記開閉カバーが前記開放位置から前記閉塞位置に移動する際に、前記本体電気接点とカートリッジ電気接点とが電気的に接続させる方向に前記本体電気接点を移動させる、そして前記本体電気接点とカートリッジ電気接点と電気的に接続した後に、前記プロセスカートリッジを前記本体位置決め部に位置決めする方向に移動させる移動部材と、を有すことを特徴とする電子写真画像形成装置である。
【手続補正３】
【補正対象書類名】明細書
【補正対象項目名】００１７
【補正方法】変更
【補正の内容】
【００１７】
また、本願発明に係る他の構成は、電子写真感光体と、前記電子写真感光体に作用するプロセス手段と、カートリッジ電気接点を有するメモリ手段と、を有するプロセスカートリッジを着脱可能とし、記録媒体に画像を形成する電子写真画像形成装置において、前記プロセスカートリッジを着脱するための開口と、前記開口を開放する開放位置と、前記開口を閉じる閉塞位置との間を移動することができる開閉カバーと、前記開閉カバーが前記閉塞位置にあるときに、前記電子写真画像形成装置の本体へ電力を供給するためのＯＮ状態と、前記開閉カバーが前記閉塞位置以外の位置にあるときには、前記画像形成装置本体へ電力を供給を中止するためのＯＦＦ状態とをとり得るスイッチ部材と、前記カートリッジ電気接点部と電気的に接続する本体電気接点部と、前記本体電気接点とカートリッジ電気接点とが電気的に接続する方向、及び、離間する方向に前記本体電気接点を移動させる第一の移動部材と、前記開閉カバーの開閉動作に連動して移動する第二の移動部材であって、前記開閉カバーが前記閉塞位置から前記閉塞位置以外の位置に移動する際に、前記スイッチ部材をＯＮ状態からＯＦＦ状態にして、その後に、前記本体電気接点部とカートリッジ電気接点部とが電気的に離間する方向に前記第一の移動部材を移動させる第二の移動部材と、を有することを特徴とする電子写真画像形成装置である。